(57)【特許請求の範囲】
【請求項１】
複数個のコンクリートブロック（１Ａ，１Ｂ）を順次水平方向に連続させて一連のコンクリートブロック構造物を構築する際のコンクリートブロック施工方法であって、
使用するコンクリートブロック（１Ａ，１Ｂ）の側面（１３）における前後各接続端面（１１，１２）寄り位置に所定高差（Ｈ）をもたせた状態でそれぞれ雌ネジ（１４，１５）を形成しておく一方、２つのコンクリートブロック（１Ａ，１Ｂ）の接続端面（１１，１２）同士を正規の設置姿勢で接続させた状態でその接続部分の両側に位置する２つの雌ネジ（１４，１５）間の直線距離（Ｌ）と同じ間隔（Ｍ）でそれぞれボルト挿通穴（３１，３２）を形成した連結プレート（３）と、前記各雌ネジ（１４，１５）に螺合可能な２本のボルト（４，５）を使用し、
先順側のコンクリートブロック（１Ａ）を高位置雌ネジ（１４）側の接続端面（１１）が後続のコンクリートブロック（１Ｂ）の設置側に向く姿勢で設置面（７）上に据付けておき、
接続側コンクリートブロック（１Ｂ）を該接続側コンクリートブロック（１Ｂ）の低位置雌ネジ（１５）側の接続端面（１２）が既設側コンクリートブロック（１Ａ）の接続端面（１１）側に向く姿勢で吊持して、
接続側コンクリートブロック（１Ｂ）の低位置雌ネジ（１５）側の接続端面（１２）を既設側コンクリートブロック（１Ａ）の接続端面（１１）に対して、既設側コンクリートブロック（１Ａ）の高位置雌ネジ（１４）と接続側コンクリートブロック（１Ｂ）の低位置雌ネジ（１５）との直線距離（Ｌ）が連結プレート（３）の両ボルト挿通穴（３１，３２）間の間隔（Ｍ）と同じになる位置まで近接させ、
一方のボルト（４）を連結プレート（３）の一方のボルト挿通穴（３１）を通して既設側コンクリートブロック（１Ａ）の高位置雌ネジ（１４）に非緊締状態で螺合させる一方、他方のボルト（５）を連結プレート（３）の他方のボルト挿通穴（３２）を通して接続側コンクリートブロック（１Ｂ）の低位置雌ネジ（１５）に非緊締状態で螺合させて、両コンクリートブロック（１Ａ，１Ｂ）を連結プレート（３）で仮連結し、
その状態で接続側コンクリートブロック（１Ｂ）をその下面が設置面（７）上に接地するまで降下させた後、両ボルト（４，５）をそれぞれ強く緊締する、
ことを特徴とするコンクリートブロック施工方法。
【発明の詳細な説明】
【技術分野】
【０００１】
本願発明は、複数個のコンクリートブロック（プレキャスト製品）を順次水平方向に連続させて一連のコンクリートブロック構造物（例えば擁壁、側溝、下水路等）を構築する際のコンクリートブロック施工方法に関するものである。尚、構築されるコンクリートブロック構造物として、擁壁の場合は例えばＬ形のコンクリートブロックを使用され、側溝の場合は例えばＵ形（又は逆Ｕ形）のコンクリートブロックが使用され、下水路の場合は例えばボックスカルバート（又はアーチカルバート）が使用される。
【背景技術】
【０００２】
図１５〜図１６には、従来から一般に行われているコンクリートブロック施工方法を示しているが、この従来例ではコンクリートブロック（１０１Ａ，１０１Ｂ）としてボックスカルバートを使用している。この種のボックスカルバート（コンクリートブロック）は、１個の重量が小さいものでも５００Kg程度あり、大きいものでは１０ｔ（トン）超のものがある。
【０００３】
そして、このような大重量のコンクリートブロック１０１Ａ，１０１Ｂを複数個使用して一連のコンクリートブロック構造物を構築するには、次のように行われる。即ち、図１６に示すように設置面（基礎コンクリート）１０７上の所定位置に先順のコンクリートブロック１０１Ａを据付けた後、その既設側コンクリートブロック１０１Ａの接続端面（後端面）１１１に接続側コンクリートブロック１０１Ｂの接続端面（前端面）１１２を接合させた状態で据付け、順次同様に後続の各コンクリートブロックを接続させていく。
【０００４】
接続側コンクリートブロック１０１Ｂを既設側コンクリートブロック１０１Ａに接続させるには、接続側コンクリートブロック１０１Ｂをクレーン（吊りフック１０９）で吊持して既設側コンクリートブロック１０１Ａの近傍に近づけ、図１６に鎖線図示するように接続側コンクリートブロック１０１Ｂ′の前端面１１２を既設側コンクリートブロック１０１Ａの後端面１１１に接合させた状態で該接続側コンクリートブロックを接地させるが、接続側コンクリートブロック１０１Ｂを吊り降ろし作業だけでは既設側コンクリートブロックと接続側コンクリートブロックの各接続端面１１１，１１２同士を全面（全周）に亘ってきれいに接合させることは非常に難しい（両接続端面１１１，１１２間に隙間ができ易い）。又、接続側コンクリートブロック１０１Ｂを一旦接地させると、該コンクリートブロック１０１Ｂが大重量であるために容易に動かせなくなり、両接続端面の接合補修作業が困難になる。尚、既設側コンクリートブロック１０１Ａと接続側コンクリートブロック１０１Ｂの各接続端面１１１，１１２間には、パッキンを介設したり、目地モルタルやコーキング材を充填したりすることが多いが、その場合でも両コンクリートブロックの接続端面１１１，１１２同士をきれいに接合させておくことが好ましい。
【０００５】
ところで、このように複数個のコンクリートブロックを接続してなるコンクリートブロック構造物では、地震によって設置地盤に不等沈下が発生したり自動車走行による振動を受けたりすると、各コンクリートブロックの接合部分に隙間が発生し易くなる。
【０００６】
そこで、従来から、接続された両コンクリートブロック１０１Ａ，１０１Ｂを連結するのに、図１７〜図１９に示すような各種の連結構造が採用されている。
【０００７】
図１７（第１従来例）の連結構造は、連結ボルト（ボルト１２０及びナット１２１）を使用して両コンクリートブロック１０１Ａ，１０１Ｂを緊締するようにしたものであるが、この場合は、図１７（Ａ）に示すように予めコンクリートブロック１０１Ａ，１０１Ｂの接続端面１１１，１１２寄りの各側面にそれぞれボルト１２０又はナット１２１を収容するための凹部１１６，１１７を形成しておく。そして、既設側コンクリートブロック１０１Ａに接続側コンクリートブロック１０１Ｂを接続させた状態で、図１７（Ｂ）に示すように、一方の凹部１１６内にボルト１２０を横向き姿勢で収納し、他方の凹部１１７内からナット１２１で螺合・緊締することで、両コンクリートブロック１０１Ａ，１０１Ｂを引き寄せて連結するようにしている。尚、この種のボルト・ナットによる両コンクリートブロックの連結構造としては、例えば特開２００１−１６４５５９号公報（特許文献１）の図４に示されるものがある。
【０００８】
図１８（第２従来例）の連結構造は、長尺のＰＣ鋼材１２２を使用して両コンクリートブロック１０１Ａ，１０１Ｂを緊締するようにしたものであるが、この場合は、予め各コンクリートブロック１０１Ａ，１０１ＢにそれぞれＰＣ鋼材挿通用の貫通穴１１８，１１８を形成しておく。そして、既設側コンクリートブロック１０１Ａに接続側コンクリートブロック１０１Ｂを接続させた状態で、連通する各貫通穴１１８，１１８内に長尺のＰＣ鋼材１２２を挿通し、該ＰＣ鋼材１２２の両端部にそれぞれナット１２３，１２４を螺合・緊締することで、両コンクリートブロック１０１Ａ，１０１Ｂを引き寄せて連結するようにしている。尚、この種のＰＣ鋼材による両コンクリートブロックの連結構造としては、例えば特開平８−１７７１３３号公報（特許文献２）の図１に示されるものがある。
【０００９】
図１９（第３従来例）の連結構造は、連結プレート１０３と２本のボルト１０４，１０５使用して両コンクリートブロック１０１Ａ，１０１Ｂを連結するようにしたものであるが、この場合は、予め各コンクリートブロック１０１Ａ，１０１Ｂの接続端面寄りの各側面にそれぞれ雌ネジ１１４，１１５を形成しておく（雌ネジ筒を埋め込んでおく）。そして、既設側コンクリートブロック１０１Ａに接続側コンクリートブロック１０１Ｂを接続させた状態で、連結プレート１０３を各コンクリートブロック１０１Ａ，１０１Ｂの両側面に跨がってあてがい、該連結プレート１０３を介して各ボルト１０４，１０５を各側の雌ネジ１１４，１１５に螺合・緊締することで、両コンクリートブロック１０１Ａ，１０１Ｂを連結するようにしている。尚、図１９において符号１１０は両コンクリートブロック１０１Ａ，１０１Ｂの接続端面間に介設したパッキンである。
【００１０】
【特許文献１】特開２００１−１６４５５９号公報の図４
【特許文献２】特開平８−１７７１３３号公報の図１
【発明の開示】
【発明が解決しようとする課題】
【００１１】
ところで、複数個のコンクリートブロック１０１Ａ，１０１Ｂを順次接合状態で設置する際には、両コンクリートブロックの接続端面１１１，１１２同士の接合精度と、両コンクリートブロック１０１Ａ，１０１Ｂの連結強度とが重要である。
【００１２】
そして、図１５〜図１６に示すように、既設側コンクリートブロック１０１Ａに対して接続側コンクリートブロック１０１Ｂを吊持・移動させて、各接続端面１１１，１１２同士を単に接合させるだけのものでは、両接続端面１１１，１１２の接合精度が不十分になり易い（隙間ができ易い）とともに、地震や振動に対して両コンクリートブロックの連結強度が不十分となる。
【００１３】
又、図１７〜図１９に示す第１〜第３従来例の各連結構造では、それぞれ次のような問題がある。
【００１４】
図１７（第１従来例）に示す連結ボルト使用による連結構造では、各コンクリートブロック１０１Ａ，１０１Ｂの側面に連結ボルト（ボルト１２０、ナット１２１）を収容するために複雑な形状の凹部１１６，１１７を形成しておく必要があるが、この場合はコンクリートブロック成型用型枠の構造が複雑となるとともに、型抜きが面倒となる。又、ボルト１２０とナット１２１の緊締作業を狭隘な凹部１１６，１１７内で行う必要があるので、その緊締作業がしにくい。さらに、コンクリートブロックが大重量（例えば５〜１０ｔ）のものでは、接地した状態でボルト・ナットで緊締しても接続側コンクリートブロック１０１Ｂを両接続端面が正常に接合するまで引き寄せられないことがある（両接続端面間に隙間が残る）。
【００１５】
図１８（第２従来例）に示すＰＣ鋼材使用による連結構造では、各コンクリートブロック１０１Ａ，１０１Ｂにそれぞれ貫通穴１１８を形成しておく必要があるので、コンクリートブロックの成型が面倒であるとともに、長尺のＰＣ鋼材１２２が高価であるのでコスト高になる。又、この場合も、コンクリートブロックが大重量（例えば５〜１０ｔ）のものでは、接地した状態でナット１２４を緊締しても接続側コンクリートブロック１０１Ｂを両接続端面が正常に接合するまで引き寄せられないことがある（両接続端面間に隙間が残る）。
【００１６】
図１９（第３従来例）に示す連結プレート使用による連結構造では、連結プレート１０３を取付けるのに各ボルト１０４，１０５をコンクリートブロックの側面の外側から各雌ネジ１１４，１１５に螺合させ得るので、その連結作業は簡単であるが、この場合は接続側コンクリートブロック１０１Ｂを既設側コンクリートブロック１０１Ａ側に引き寄せる機能はない。従って、両コンクリートブロックの接続端面間に隙間が残ったままになり易い。
【００１７】
そこで、本願発明は、既設側コンクリートブロックに対して接続側コンクリートブロックを吊持しながら接続させる際に、両コンクリートブロックの接続端面同士を良好に接合させ得るとともに、両コンクリートブロックの連結強度も確保し得るようにしたコンクリートブロック施工方法を提供することを目的としている。
【課題を解決するための手段】
【００１８】
本願発明は、上記課題を解決するための手段として次の構成を有している。
【００１９】
本願発明は、複数個のコンクリートブロックを順次水平方向に連続させて一連のコンクリートブロック構造物を構築する際のコンクリートブロック施工方法を対象にしている。尚、以下の説明において、前後とは各コンクリートブロックの接続方向のことであって、既設側コンクリートブロックが前側で接続側コンクリートブロックが後側となる。又、このコンクリートブロック施工方法では、既設側コンクリートブロックの接続端面に接続側コンクリートブロックの接続端面を接合させるが、以下の説明では、既設側コンクリートブロックの接続端面を後端面といい、接続側コンクリートブロックの接続端面を前端面ということがある。さらに本願の説明において「２つのコンクリートブロックの接続端面同士を正規の設置姿勢で接続させた状態」とは、両コンクリートブロックが同高さにおいてそれぞれ設置面に着座し、且つ両コンクリートブロックの接続端面同士が全面に亘って接合している状態のことである。
【００２０】
本願発明のコンクリートブロック施工方法で使用するコンクリートブロックには、その側面における前後各接続端面寄り位置に所定高差をもたせた状態でそれぞれ雌ネジを形成しておく。又、このコンクリートブロック施工方法では、２つのコンクリートブロックの接続端面同士を正規の設置姿勢で接続させた状態でその接続部分の両側に位置する２つの雌ネジ間の直線距離と同じ間隔でそれぞれボルト挿通穴を形成した連結プレートと、各雌ネジに螺合可能な２本のボルトを使用する。
【００２１】
コンクリートブロック側面の前後各雌ネジの形成位置は、コンクリートブロックの大きさにもよるが、コンクリートブロックの前後各接続端面（前端面及び後端面）から水平方向に例えば１０〜２０cmだけ離間した位置で、両雌ネジの高差が例えば５〜１５cm程度あるように設定される。尚、これらの数値は特に限定するものではなく、後述の機能を達成させ得るものであれば適宜に設計変更可能である。
【００２２】
又、この各雌ネジは、使用するコンクリートブロックの厚さが薄いものではコンクリートブロックの左右片方の側面だけに形成したものでもよいが、該各雌ネジはコンクリートブロックの左右両側面にそれぞれ形成しておくことが好ましい。尚、この各雌ネジは、コンクリートブロック成型時に型枠内面に雌ネジ筒を装着しておくことで、コンクリートブロック側面に形成できる。
【００２３】
そして、２つのコンクリートブロックの接続端面同士を正規の設置姿勢で接続させた状態では、その接続部分の両側に位置する２つの雌ネジ（既設側コンクリートブロックの後端面側にある高位置雌ネジと、接続側コンクリートブロックの前端面側にある低位置雌ネジ）を結ぶ仮装直線が既設側から接続側に向けて所定角度（例えば角度２０〜４０°程度）だけ下降傾斜するようになる。
【００２４】
連結プレートは、細長板状のもの（例えば長さが３０〜４０cm、幅が５〜８cm、厚さが０.５〜１cm程度）や適宜太さの棒状のもの（例えば長さが３０〜４０cm、太さが２〜３cm程度）等で、強度のある材料製（例えば鋼材製やプラスチック製）のものが使用される。この連結プレートには長さ方向の両端寄り位置にそれぞれボルト挿通穴を形成しているが、この各ボルト挿通穴は、使用するボルトのネジ部外径（例えば２５mm）よりごく僅かに大きい程度の穴径（例えば２５.５〜２６mm）に設定されている。従って、ボルト挿通穴にボルトネジ部を挿通させた状態では、該ボルト挿通穴とボルトネジ部間にほとんどガタツキが生じないようになっている。
【００２５】
連結プレートの２つのボルト挿通穴（中心）間の間隔は、２つのコンクリートブロックの接続端面同士を正規の設置姿勢で接続させた状態でその接続部分の両側に位置する２つの雌ネジ（中心）間の直線距離と同じに設定されている。
【００２６】
そして、本願発明のコンクリートブロック施工方法は、次のように行われる。尚、このコンクリートブロックが設置される設置面には、基礎コンクリートが打設されており、さらに該基礎コンクリートの上面に均しモルタルを敷設して上面を平滑面としている。
【００２７】
まず、設置面の所定位置に、先順側のコンクリートブロックを高位置雌ネジ側の接続端面（後端面）が後続のコンクリートブロックの設置側に向く姿勢で据付ける。尚、コンクリートブロックの移動・据付けは、クレーンの吊りフックで吊持して行う。
【００２８】
次に、接続側コンクリートブロックを、該接続側コンクリートブロックの低位置雌ネジ側の接続端面（前端面）が既設側コンクリートブロックの接続端面（後端面）側に向く姿勢で吊持して、接続側コンクリートブロックの低位置雌ネジ側の接続端面（前端面）を既設側コンクリートブロックの接続端面（後端面）に対して、既設側コンクリートブロックの高位置雌ネジと接続側コンクリートブロックの低位置雌ネジとの直線距離が連結プレートの両ボルト挿通穴間の間隔と同じになる位置まで近接させる。このとき、接続側コンクリートブロックの低位置雌ネジが既設側コンクリートブロックの高位置雌ネジとほぼ同高さに位置し、且つ接続側コンクリートブロックの前端面が既設側コンクリートブロックの後端面から僅かに（例えば３cm程度）離間しているとともに、該接続側コンクリートブロックの下面が設置面から所定高さ（例えば１０cm程度）離間している。又、接続側コンクリートブロックを既設側コンクリートブロックに近接させる際に、両コンクリートブロックの接続端面間に所定幅（例えば３cm幅）のスペーサを介在させるようにすれば、接続側コンクリートブロックの位置決めが容易となる。
【００２９】
続いて、一方のボルトを連結プレートの一方のボルト挿通穴を通して既設側コンクリートブロックの高位置雌ネジに非緊締状態で螺合させる一方、他方のボルトを連結プレートの他方のボルト挿通穴を通して接続側コンクリートブロックの低位置雌ネジに非緊締状態で螺合させて、両コンクリートブロックの各雌ネジ部分を連結プレートで仮連結する。尚、連結プレートの一端側を既設側コンクリートブロックの高位置雌ネジ部分に連結（枢着）した状態で、連結プレートの自由端側のボルト挿通穴を接続側コンクリートブロックの低位置雌ネジに合致できない位置関係にあるときには、吊持している接続側コンクリートブロックをクレーンにより上下（又は左右）に微調整させて、該ボルト挿通穴と低位置雌ネジとを合致させればよい。又、前後各雌ネジをコンクリートブロックの左右両側面に設けているものでは、両コンクリートブロックを左右各側から同様に連結プレートで連結する。尚、両コンクリートブロック間に上記スペーサを介在させている場合は、連結プレートで両コンクリートブロックを仮連結した後に該スペーサを抜き外す。
【００３０】
次に、この仮連結状態で、吊持している接続側コンクリートブロックをその下面が設置面上に接地するまで降下させる。このとき、接続側コンクリートブロックは、既設側コンクリートブロックに対して連結プレートで仮連結されており、該連結プレートは既設側コンクリートブロックの高位置雌ネジ部分を中心にして上下に揺動するように規制されているので、接続側コンクリートブロックを降下させると、該接続側コンクリートブロックが既設側コンクリートブロックの後端面側に近づきながら下動するようになる。そして、接続側コンクリートブロックの下面が設置面上に接地した時点では、両コンクリートブロックの各雌ネジの位置関係と連結プレートの両ボルト挿通穴の位置関係とにより、接続側コンクリートブロックの前端面が既設側コンクリートブロックの後端面に全面接合し、接続側コンクリートブロックが自動的に正規の設置姿勢で接続される。
【００３１】
そして、この状態で、両ボルトをそれぞれ強く緊締することで、１つのコンクリートブロックの施工作業は完了する。尚、後続の各コンクリートブロックは、設置済みのコンクリートブロック列の後端に位置する既設側コンクリートブロックに対して上記手順で接合させる。
【発明の効果】
【００３２】
本願発明のコンクリートブロック施工方法では、上記のように連結プレートで既設側と接続側の両コンクリートブロックを仮連結した状態で、接続側コンクリートブロックを接地するまで降下させることで、該接続側コンクリートブロックを既設側コンクリートブロックに対して正規の設置姿勢で接続できるので、その接続作業が非常に簡単となり、且つ接続側コンクリートブロックの接続状態が常に正常となる（両コンクリートブロックの接続端面同士が全面接合した状態で連続する）という効果がある。
【００３３】
又、連結プレートは、上記のように接続側コンクリートブロックを既設側コンクリートブロックに対して正規の設置姿勢に接続させる機能のほかに、設置状態において両コンクリートブロックを連結する機能を有しており、該連結プレートを有効利用できるという効果がある。
【実施例】
【００３４】
本願発明は、複数個のコンクリートブロックを順次水平方向に連続させて一連のコンクリートブロック構造物を構築する際のコンクリートブロック施工方法を対象にしたものであり、図１〜図１４を参照して本願のいくつかの実施例を説明すると、図１〜図８には第１実施例、図９には第２実施例、図１０には第３実施例、図１１〜図１２には第４実施例、図１３〜図１４には第５実施例のコンクリートブロック施工方法がそれぞれ示されている。
【００３５】
本願で構築されるコンクリートブロック構造物としては、例えば擁壁、側溝、下水路等があるが、擁壁の場合は例えばＬ形のコンクリートブロックを使用され、側溝の場合は例えばＵ形（又は逆Ｕ形）のコンクリートブロックが使用され、下水路の場合は例えばボックスカルバート（又はアーチカルバート）が使用される。そして、本願の各実施例では、コンクリートブロックとしてボックスカルバートを使用して、下水路を構築する場合を示している。尚、この各実施例では、コンクリートブロック１Ａ，１Ｂとして、１個当たりの重量が５〜１０ｔ（トン）程度のかなり大型のものを適用している。
【００３６】
本願各実施例のコンクリートブロック施工方法は、既設側コンクリートブロック１Ａの接続端面１１に接続側コンクリートブロック１Ｂの接続端面１２を接合させて一連のコンクリートブロック構造物を構築するものであるが、各実施例の説明でも、既設側コンクリートブロック１Ａの接続端面１１を後端面といい、接続側コンクリートブロック１Ｂの接続端面１２を前端面ということがある。又、以下の説明中、前後とは各コンクリートブロック１Ａ，１Ｂの接続方向のことであり、左右とはコンクリートブロック１Ａ，１Ｂの対向側面１３，１３側のことである。
【００３７】
図１〜図８の第１実施例
この第１実施例のコンクリートブロック施工方法では、既設側と接続側の各コンクリートブロック１Ａ，１Ｂとして、図１〜図３に示すように左右各側面１３，１３における前後各接続端面１１，１２寄り位置に所定高差Ｈをもたせた状態でそれぞれ雌ネジ１４，１５を形成したものを使用している一方、各コンクリートブロック１Ａ，１Ｂの各雌ネジ１４，１５を連結するための連結プレート３（２セット）と、各雌ネジ１４，１５に螺合される２本１組のボルト４，５（２セット）とを使用する。尚、既設側コンクリートブロックと接続側コンクリートブロックは同じものであるが、説明上、既設側コンクリートブロックに符号１Ａを付し、接続側コンクリートブロックに符号１Ｂを付している。
【００３８】
各コンクリートブロック１Ａ，１Ｂの各雌ネジ１４，１５は、コンクリートブロックにおける左右の各側面１３，１３に一対ずつ形成されており、従って２つのコンクリートブロック１Ａ，１Ｂを連結するのに連結プレート３及び２本１組のボルト４，５も左右２組ずつ使用される。尚、各雌ネジ１４，１５及び各ボルト４，５は、この実施例ではネジ径が２５mmのものを使用している。
【００３９】
この第１実施例で使用されるコンクリートブロック１Ａ，１Ｂでは、後端面１１寄り位置の雌ネジ１４が高位置雌ネジとなり、前端面１２寄り位置の雌ネジ１５が低位置雌ネジとなっている。又、高位置雌ネジ１４と低位置雌ネジ１５とは、図１に示すようにコンクリートブロックの側面１３の高さ方向のほぼ中央位置において左右各側面１３，１３の対向位置にそれぞれ一対ずつ形成されている。尚、この各雌ネジ１４，１５は、コンクリートブロックの成型時に型枠内面の所定位置に雌ネジ筒を装着しておくことで、各コンクリートブロック側面１３，１３の所定位置に埋設状態で形成できる。
【００４０】
連結プレート３は、細長鋼板製で、この実施例では長さが４０cm、幅が５cm、厚さが１cm程度の比較的高強度のものが使用されている。尚、連結プレート３のこれらの寸法は特に限定するものではなく、適宜に設計変更可能である。
【００４１】
連結プレート３の長さ方向両端部寄り位置には、それぞれボルト挿通穴３１，３２が形成されている。尚、この各ボルト挿通穴３１，３２の穴径は、ボルト４，５のネジ径（２５mm）よりごく僅かに大きい程度（２５.５〜２６mm）に設定されている。
【００４２】
連結プレート３の各ボルト挿通穴３１，３２間の間隔Ｍは、各雌ネジ１４，１５の形成位置によって次のように設定される。尚、以下に示す各寸法は、この実施例のものであって特に限定するものではない。
【００４３】
この第１実施例では、高位置雌ネジ１４と低位置雌ネジ１５との高差Ｈを１３cmとし、各雌ネジ１４，１５から各接続端面１１，１２までの水平距離を１３.５cmとしている。そして、図３に示すように、既設側コンクリートブロック１Ａの後端面１１と接続側コンクリートブロック１Ｂの前端面１２とを水平な設置面７上において正規の設置姿勢で接続させた状態では、既設側コンクリートブロック１Ａ側の高位置雌ネジ１４と接続側コンクリートブロック１Ｂ側の低位置雌ネジ１５との高差Ｈが１３cmで、該両雌ネジ１４，１５間の水平距離が計算上２７cmとなる（実際にはこれより数mm程度長くなる）。このとき両雌ネジ１４，１５を結ぶ仮装線が水平線より角度ａ（角度ａ＝２５°〜２６°）だけ下降傾斜しており、このときの両雌ネジ１４，１５間の直線距離Ｌが約３０cmになる。従って、この場合、連結プレート３として、各ボルト挿通穴３１，３２間の間隔Ｍを３０cmに設定したものを使用する。尚、連結プレート３の両ボルト挿通穴３１，３２間の間隔Ｍは、コンクリートブロック側面１３に形成される各雌ネジ１４，１５の形成位置によって、上記条件（２つのコンクリートブロックを正規の設置姿勢で接続させた状態での両雌ネジ１４，１５間の直線距離Ｌ）に適合するように設定される。
【００４４】
この第１実施例で使用されるコンクリートブロック１Ａ，１Ｂには、その側面１３，１３における各雌ネジ１４，１５の形成部分に、連結プレート３を半分長さずつ収容するための傾斜凹溝１６，１７が形成されている。この各傾斜凹溝１６，１７は、連結プレート３の幅（５cm）と同幅かそれよりごく僅かに広幅で、連結プレート３の厚さ程度（例えば１cm）の深さを有している。又、この各傾斜凹溝１６，１７は、図３に示すように両コンクリートブロック１Ａ，１Ｂを正規の設置姿勢で連続させた状態では両傾斜凹溝１６，１７が角度ａ（２５°〜２６°）の傾斜姿勢で直線状に連続するようになっている。そして、両傾斜凹溝１６，１７が直線状に連続した状態では、その連続傾斜凹溝１６，１７内に連結プレート３の全長を収容でき、且つ連結プレート３が各傾斜凹溝１６，１７に対して幅方向にほとんど余裕がない状態で収容できるようになっている。
【００４５】
第１実施例のコンクリートブロック施工方法は、上記構成のコンクリートブロック１Ａ，１Ｂと、連結プレート３（２セット）、２本のボルト４，５（２セット）とを使用して、図４〜図８に示すようにして行われる。尚、このコンクリートブロック１Ａ，１Ｂが設置される設置面７には、基礎コンクリートが打設されており、さらに該基礎コンクリートの上面に均しモルタルを敷設して上面を平滑面としている。
【００４６】
まず、図４に示すように、設置面７上の所定位置に、先順側のコンクリートブロック１Ａを高位置雌ネジ１４側の接続端面（後端面）１１が後続のコンクリートブロック１Ｂの設置側に向く姿勢で据付ける。尚、コンクリートブロックの移動・据付けは、クレーンの吊りフック９で吊持して行う。
【００４７】
次に、図４に実線図示するように、接続側コンクリートブロック１Ｂを、該接続側コンクリートブロック１Ｂの低位置雌ネジ１５側の接続端面（前端面）１２が既設側コンクリートブロック１Ａの接続端面（後端面）１１側に向く姿勢で吊持して、図４に鎖線図示するように接続側コンクリートブロック１Ｂ′の前端面１２′を既設側コンクリートブロック１Ａの後端面１１に近接させる。
【００４８】
このとき、既設側コンクリートブロック１Ａの後端面１１に所定幅Ｓ（例えば３cm幅）のスペーサ１０をあてがっておくとよい。このスペーサ１０の幅Ｓは、接続側コンクリートブロック１Ｂ′の低位置雌ネジ１５′が既設側コンクリートブロック１Ａの高位置雌ネジ１４に対してほぼ同高さに位置したときに、両雌ネジ１４，１５間の直線距離（図３の距離Ｌ）が連結プレート３の両ボルト挿通穴３１，３２間の間隔（図３の間隔Ｍ）と同じになるように設定されている。尚、このスペーサ１０は、図６に鎖線図示（符号１０）するような棒状のものが好ましく、且つ左右各側からそれぞれ引き抜き可能状態で配置させておくとよい。
【００４９】
そして、各スペーサ１０，１０を既設側コンクリートブロック１Ａの後端面１１にあてがった状態で、接続側コンクリートブロック１Ｂを吊持して該接続側コンクリートブロック１Ｂの前端面１２がスペーサ１０に衝合するまで前方移動させ、続いて接続側コンクリートブロック１Ｂを上下動させて接続側コンクリートブロック１Ｂの低位置雌ネジ１５が既設側コンクリートブロック１Ａの高位置雌ネジ１４とほぼ同高さに位置するように調整する（接続側コンクリートブロックが図４の鎖線図示状態となる）。接続側コンクリートブロック１Ｂが図４の鎖線図示状態では、既設側コンクリートブロック１Ａの高位置雌ネジ１４と接続側コンクリートブロック１Ｂ′の低位置雌ネジ１５′との直線距離（図３の距離Ｌ）が連結プレート３の両ボルト挿通穴３１，３２間の間隔（図３の間隔Ｍ）と同じになり、且つ接続側コンクリートブロック１Ｂ′の前端面１２′が既設側コンクリートブロック１Ａの後端面１１から小間隔Ｓ（例えばＳ＝３cm程度）だけ離間しているとともに、該接続側コンクリートブロック１Ｂ′の下面が設置面７から所定高さＴ（例えば１０cm程度）だけ離間している。
【００５０】
続いて、図５及び図６に示すように、一方のボルト４を連結プレート３の一方のボルト挿通穴３１を通して既設側コンクリートブロック１Ａの高位置雌ネジ１４に非緊締状態で螺合させる一方、他方のボルト５を連結プレート３の他方のボルト挿通穴３２を通して接続側コンクリートブロック１Ｂの低位置雌ネジ１５に非緊締状態で螺合させて、両コンクリートブロック１Ａ，１Ｂの各雌ネジ部分を連結プレート３で仮連結する。尚、連結プレート３による仮連結作業は、両コンクリートブロック１Ａ，１Ｂの左右各側から同様に行う。この各連結プレート３，３による仮連結状態では、図６に示すように各連結プレート３，３がそれぞれコンクリートブロック側面１３，１３の外側近接（又は接触）位置にあって上下に姿勢変更可能となっている。又、連結プレート３の一端側のボルト挿通穴３１を既設側コンクリートブロック１Ａの高位置雌ネジ１４部分に連結した状態で、連結プレート３の自由端側のボルト挿通穴３２を接続側コンクリートブロック１Ｂの低位置雌ネジ１５に合致できない位置関係にあるときには、吊持している接続側コンクリートブロック１Ｂをクレーンにより上下に微調整させて、該ボルト挿通穴３２と低位置雌ネジ１５とを合致させればよい。そして、各連結プレート３，３で両コンクリートブロック１Ａ，１Ｂを仮連結した後、各スペーサ１０，１０を抜き外す。
【００５１】
次に、図５及び図６に示す仮連結状態で、吊持している接続側コンクリートブロック１Ｂをその下面が設置面７上に接地するまで降下させる。このとき、接続側コンクリートブロック１Ｂは、既設側コンクリートブロック１Ａに対して各側の連結プレート３，３で仮連結されており、該各連結プレート３，３は既設側コンクリートブロック１Ａの高位置雌ネジ１４部分を中心にして上下に揺動するように規制されているので、接続側コンクリートブロック１Ｂを降下させると、該接続側コンクリートブロック１Ｂが既設側コンクリートブロック１Ａの後端面１１側に近づきながら下動するようになる。このとき、接続側コンクリートブロック１Ｂが大重量であると、該コンクリートブロックの自重で該接続側コンクリートブロック１Ｂの前端面１２が既設側コンクリートブロック１Ａの後端面１１に強く圧接するよになる。そして、接続側コンクリートブロック１Ｂの下面が設置面７上に接地した時点では、図７に示すように両コンクリートブロック１Ａ，１Ｂの各雌ネジ１４，１５の位置関係と連結プレート３の両ボルト挿通穴３１，３２の位置関係とにより、接続側コンクリートブロック１Ｂの前端面１２が既設側コンクリートブロック１Ａの後端面１１に全面接合し（図８参照）、接続側コンクリートブロック１Ｂが自動的に正規の設置姿勢で接続される。又、このとき、接続部の両側にある各傾斜凹溝１６，１７は、傾斜状態（図３の角度ａ）で直線状に連続しており、該連続傾斜凹溝１６，１７内に連結プレート３を嵌入させ得るようになっている。
【００５２】
そして、この状態で、左右各側の両ボルト１４，１５をそれぞれ螺入させると、図８に示すように連結プレート３が連続傾斜凹溝１６，１７内に嵌入していくとともに、該両ボルト４，５を強く緊締することで２つのコンクリートブロック１Ａ，１Ｂを強固に連結することができる。尚、後続の各コンクリートブロックは、設置済みのコンクリートブロック列の後端に位置する既設側コンクリートブロックに対して上記手順で接合させていき、一連のコンクリートブロック構造物を構築する。
【００５３】
この第１実施例のコンクリートブロック施工方法では、上記のように接続側コンクリートブロック１Ｂを吊持して既設側コンクリートブロック１Ａに対して所定位置まで近接させ、該接続側コンクリートブロック１Ｂを宙吊り状態で連結プレート３，３により両コンクリートブロック１Ａ，１Ｂを連結し、その状態で接続側コンクリートブロック１Ｂを接地するまで降下させるという作業で、接続側コンクリートブロック１Ｂを既設側コンクリートブロック１Ａに対して正規の設置姿勢で接続できる。
【００５４】
従って、接続側コンクリートブロック１Ｂを既設側コンクリートブロック１Ａに対して正規の設置姿勢で接続させるのに、その接続作業が非常に簡単となり、且つ接続側コンクリートブロックＢの接続状態が常に正常となる（両コンクリートブロック１Ａ，１Ｂの接続端面同士が全面接合した状態で連続する）。
【００５５】
又、連結プレート３は、上記のように接続側コンクリートブロック１Ｂを既設側コンクリートブロック１Ａに対して正規の設置姿勢に接続させる機能のほかに、設置状態において両コンクリートブロック１Ａ，１Ｂを連結する機能を有しており、該連結プレート３を有効利用できる。
【００５６】
さらに、この第１実施例のコンクリートブロック施工方法では、コンクリートブロック１Ａ，１Ｂの各雌ネジ形成部分に、連結プレート３を嵌入させる傾斜凹溝１６，１７を形成しており、両コンクリートブロック１Ａ，１Ｂの連結状態において連続傾斜凹溝１６，１７内に連結プレート３を嵌入させるようになっているが、連結プレート３が連続傾斜凹溝１６，１７内に嵌入した状態では、該各傾斜凹溝１６，１７の側縁部によって連結プレート３が上下揺動変位不能にガードされている。従って、例えば地震によって設置地盤に不等沈下が発生したり自動車走行による振動を受けたときでも（両コンクリートブロック１Ａ，１Ｂが相対変位し易くなる）、連結プレート３が各傾斜凹溝１６，１７内で上下揺動変位不能にガードされているので、両コンクリートブロック１Ａ，１Ｂが相対変位（位置ずれ）しにくくなるという機能がある。
【００５７】
図９の第２実施例
この第２実施例では、設置面７上にコンクリートブロック１Ａ，１Ｂを設置する際に、設置面７上における前後２つのコンクリートブロック１Ａ，１Ｂの接合部下面（各接続端面１１，１２の下面）に跨がる位置に小幅の敷板８を設置している。そして、この各敷板８，８により、コンクリートブロックの下面が直接設置面７に接触しない状態で施工することができ、各コンクリートブロック１Ａ，１Ｂの水平出しを容易に行えるようにしている。尚、この第２実施例のコンクリートブロック施工方法は、敷板８を使用する以外は、上記第１実施例と同じである。
【００５８】
因に、上記第１実施例のように、設置面７上に直接コンクリートブロック１Ａ，１Ｂの下面を載せる場合には、設置面７におけるコンクリートブロック下面が接触する部分の全面をきれいな平滑面としておく必要があり、例えば設置面７とコンクリートブロック下面の間に異物（例えば小粒の石）が介在したり、あるいは設置面７の上面の平滑精度が悪いと、そこに設置されるコンクリートブロックの水平出しが難しくなる（前後コンクリートブロック１Ａ，１Ｂの接続端面１１，１２同士の接合精度が悪くなる）。
【００５９】
そこで、図９に示す第２実施例のように、各コンクリートブロック１Ａ，１Ｂの前後各端寄り下面に敷板８，８を敷設し、且つ前後のコンクリートブロック１Ａ，１Ｂの接合部に跨がる部分を１枚の敷板８で共用することで、連続させる各コンクリートブロック１Ａ，１Ｂをそれぞれ水平姿勢に維持させることができるとともに、両コンクリートブロック１Ａ，１Ｂの接続端面同士の接合精度を良好にし得る。
【００６０】
図１０の第３実施例
図９に示す第３実施例では、上記第１実施例における連結プレート３による連結部分を左右各側面とも上下２段ずつ設けている。上下２箇所の各連結部分は、それぞれボルト４，５で仮連結した状態において、４つのボルトの各螺合位置が平行四辺形の各頂点に位置するようになっている。尚、この第２実施例のコンクリートブロック施工方法は、連結プレート３による連結部分を上下２段に設けたこと以外は、上記第１実施例と同じである。
【００６１】
この第２実施例の場合は、２つのコンクリートブロック１Ａ，１Ｂを、左右各側においてそれぞれ連結プレート３により上下２箇所で連結するようにしているので、両コンクリートブロック１Ａ，１Ｂの接合部分を上下２箇所で仮連結した状態では、既設側コンクリートブロック１Ａと接続側コンクリートブロック１Ｂの接続端面同士の平行度を高精度に維持できる。即ち、接続側コンクリートブロック１Ｂを宙吊り状態で既設側コンクリートブロック１Ａに対して上下２箇所で連結すると、接続側コンクリートブロック１Ｂの接続端面が既設側コンクリートブロック１Ａの接続端面に対して平行移動しかできない。
【００６２】
従って、この第３実施例のコンクリートブロック施工方法では、連結箇所が多くなるものの、仮連結後に各コンクリートブロック１Ａ，１Ｂの接続端面同士の平行度が崩れることがないので、接続側コンクリートブロック１Ｂを最終位置まで下降させた際に両コンクリートブロック１Ａ，１Ｂの接続端面同士が確実に全面接合するようになる。
【００６３】
図１１〜図１２の第４実施例
この第４実施例では、２つのコンクリートブロック１Ａ，１Ｂを連結設置した状態で接続側コンクリートブロック１Ｂが上方に変位するのを阻止するためのたの手段を採用している。
【００６４】
即ち、この第４実施例では、各雌ネジ１４，１５の入口側端部をそれぞれコンクリートブロック側面１３と面一状に位置させた状態で形成している一方、高位置雌ネジ１４の上側直近位置に傾斜突起１８と低位置雌ネジ１５の下側直近位置に傾斜突起１９を側面１３にそれぞれ一体成形している。尚、各側の傾斜突起１８，１９は、上記第１実施例の各傾斜凹溝１６，１７に代わるものである。
【００６５】
そして、この第４実施例のコンクリートブロック施工方法でも、接続側コンクリートブロック１Ｂを注吊り状態で連結プレート３により両コンクリートブロック１Ａ，１Ｂを仮連結し、接続側コンクリートブロック１Ｂをその下面が設置面７上に接地するまで下降させた後に、各ボルト４，５をそれぞれ雌ネジに対して強く緊締させることで両コンクリートブロック１Ａ，１Ｂを接続させる。
【００６６】
この第４実施例において、図１２に示すように両コンクリートブロック１Ａ，１Ｂを接続完了させた状態では、高位置雌ネジ１４側の傾斜突起１８の下面が連結プレート３の右半分の上面部分にほぼ近接（又は接触）し、低位置雌ネジ１５側の傾斜突起１９の上面が連結プレートの左半分の下面部分にほぼ近接（又は接触）するようになっている。
【００６７】
ところで、両コンクリートブロック１Ａ，１Ｂの各雌ネジ１４，１５を単に連結プレート３で連結しただけでは（各傾斜突起１８，１９がない状態では）、図１２に示す設置状態において、接続側コンクリートブロック１Ｂが既設側コンクリートブロック１Ａに対して上側にのみ変位可能となっている（連結プレート３が高位置雌ネジ側ボルト４部分を中心として上方に弧回動可能となる）。ところが、この第４実施例では、連結プレート３が高位置雌ネジ側ボルト４部分を中心にして上方に弧回動しようとする（連結プレート３が水平姿勢に向こうとする）と、該連結プレート３が各傾斜突起１８，１９に衝合して弧回動不能となる。従って、この第４実施例のコンクリートブロック連結構造では、連結プレート３と各傾斜突起１８，１９により、両コンクリートブロック１Ａ，１Ｂの上下位置ずれを阻止する機能が発生する。
【００６８】
図１３〜図１４の第５実施例
この第５実施例は、上記第４実施例における、２つのコンクリートブロック１Ａ，１Ｂを連結設置した状態で接続側コンクリートブロック１Ｂが上方に変位するのを阻止するための他の手段を採用している。
【００６９】
この第５実施例でも、接続側コンクリートブロック１Ｂを既設側コンクリートブロック１Ａに接続する際に使用される、連結プレート３と両雌ネジ１４，１５と２つのボルト４，５からなる施工手段を有しているが、各雌ネジ（高位置雌ネジ１４、低位置雌ネジ１５）の入口側端部はそれぞれコンクリートブロック側面１３と面一状態で形成している。
【００７０】
この第５実施例では、接続施工用の連結手段（高位置雌ネジ１４、低位置雌ネジ１５、連結プレート３、各ボルト４，５）とは別に、接続施工後用の連結手段を有している。即ち、この接続施工後用の連結手段は、図１３に示すように、コンクリートブロックの側面１３の上部寄りで前後各接続端面寄り位置に、接続施工用の連結手段の各雌ネジ（高位置雌ネジ１４と低位置雌ネジ１５）とは高差が逆の低位置雌ネジ２５と高位置雌ネジ２４をそれぞれ形成しているとともに、該低位置雌ネジ２５と高位置雌ネジ２４とを連結する別の（図１４に鎖線図示する）連結プレート３（２セット）と２本のボルト（２セット）とを有している。尚、ボルトは図示省略している。
【００７１】
そして、この第５実施例では、接続側コンクリートブロック１Ｂを既設側コンクリートブロック１Ａに対して接続施工用の連結手段（高位置雌ネジ１４、低位置雌ネジ１５、連結プレート３、各ボルト４，５）で、上記各実施例と同様に図１３の状態を経て図１４に示す接続設置状態に施工した後（連結プレート３が右側に下降傾斜している）、両コンクリートブロック１Ａ，１Ｂの接合部の上部寄り位置にある高位置雌ネジ１４と低位置雌ネジ２５を連結プレート３で連結する。
【００７２】
このように、接続施工用の連結手段（下側）と接続施工後用の連結手段（上側）とで両コンクリートブロック１Ａ，１Ｂを連結した状態では、図１４に示すように下側連結手段の連結プレート３が右側に下降傾斜している一方、上側連結手段の連結プレート（鎖線図示）３が左側に下降傾斜している。従って、接続側コンクリートブロック１Ｂが既設側コンクリートブロック１Ａに対して上動しようとしても、その上動動作が上側連結手段の連結プレート３によって規制され（接続側コンクリートブロック１Ｂの前端面１２の上部寄り位置が既設側コンクリートブロック１Ａの後端面１１の上部寄り位置に衝合する）、両コンクリートブロック１Ａ，１Ｂは、いずれもが上下に相対移動することができないようになっている。
【図面の簡単な説明】
【００７３】
【図１】本願第１実施例のコンクリートブロック施工方法で使用される各部材の斜視図である。
【図２】図１の一部拡大斜視図である。
【図３】図１の両コンクリートブロックを接合させた状態を示す拡大側面図である。
【図４】図１のコンクリートブロック施工方法の初期段階を示す説明図である。
【図５】図４からの状態変化図である。
【図６】図５のVI−VI拡大断面図である。
【図７】図５からの状態変化図（接続完了図）である。
【図８】図７のVIII−VIII拡大断面図である。
【図９】本願第２実施例のコンクリートブロック施工方法の説明図である。
【図１０】本願第３実施例のコンクリートブロック施工方法の説明図である。
【図１１】本願第４実施例のコンクリートブロック施工方法で使用される各部材の一部拡大斜視図である。
【図１２】図１１のコンクリートブロックを使用して施工した接続完了図である。
【図１３】本願第５実施例のコンクリートブロック施工方法の説明図である。
【図１４】図１３からの状態変化図（接続完了図）である。
【図１５】従来のコンクリートブロック施工方法を示す斜視図である。
【図１６】図１５のコンクリートブロック施工方法の側面図である。
【図１７】第１従来例のコンクリートブロック連結構造図である。
【図１８】第２従来例のコンクリートブロック連結構造図である。
【図１９】第３従来例のコンクリートブロック連結構造図である。
【符号の説明】
【００７４】
１Ａは既設側コンクリートブロック、１Ｂは接続側コンクリートブロック、３は連結プレート、４，５はボルト、７は設置面、９は吊りフック、１０はスペーサ、１１は接続端面（後端面）、１２は接続端面（前端面）、１３は側面、１４は雌ネジ（高位置雌ネジ）、１５は雌ネジ（低位置雌ネジ）、３１，３２はボルト挿通穴である。
【図１】
0004639163.tif 000002
【図２】
0004639163.tif 000003
【図３】
0004639163.tif 000004
【図４】
0004639163.tif 000005
【図５】
0004639163.tif 000006
【図６】
0004639163.tif 000007
【図７】
0004639163.tif 000008
【図８】
0004639163.tif 000009
【図９】
0004639163.tif 000010
【図１０】
0004639163.tif 000011
【図１１】
0004639163.tif 000012
【図１２】
0004639163.tif 000013
【図１３】
0004639163.tif 000014
【図１４】
0004639163.tif 000015
【図１５】
0004639163.tif 000016
【図１６】
0004639163.tif 000017
【図１７】
0004639163.tif 000018
【図１８】
0004639163.tif 000019
【図１９】
0004639163.tif 000020